【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
１つ以上のホストコンピュータに接続され、前記ホストコンピュータから送信されたデータを１つ以上の第１の論理ボリュームへ転送する制御装置と、前記第１の論理ボリュームに関わる複数のディスクドライブを持つ複数のディスクドライブ装置と、を備えるストレージ装置であって、
前記制御装置は、前記ホストコンピュータのうちの１つから送信された単一の命令を受け取り、前記命令に基づいて、１つ以上の第１の論理ボリュームと複数の第２の論理ボリュームとの間に複数のペア関係を作成し、前記第２の論理ボリュームは前記第１の論理ボリュームに記憶されているデータのコピーを記憶するために使用され、前記作成されたペア関係を、前記ホストコンピュータから前記第２の論理ボリュームにアクセスできるスプリット状態になるようにし、
前記第１の論理ボリュームまたは前記第２の論理ボリュームは、前記スプリット状態の開始のタイミングで、前記第２の論理ボリュームに記憶されたデータ間の整合性が維持されている１つのコンシステンシーグループに属すること、を特徴とするストレージ装置。
【請求項２】
請求項１記載のストレージ装置であって、
前記制御装置は、
前記命令の受け取り後、前記ホストコンピュータから前記第１の論理ボリュームの少なくとも１つまたは前記第２の論理ボリュームの少なくとも１つへ送信された少なくとも１つのリードまたはライトの要求を受信し、この時、当該要求の受信は妨げられることはなく、
前記要求における対象論理ボリュームからの対象データのリードまたは対象論理ボリュームへの対象データのライトを行い、
前記ホストコンピュータへ前記リードまたはライトの要求に関わる応答で答えること、を特徴とするストレージ装置。
【請求項３】
請求項１記載のストレージ装置であって、
前記命令の受け取り前において、各々の前記第１の論理ボリュームはシンプレックス状態であること、を特徴とするストレージ装置。
【請求項４】
請求項１記載のストレージ装置であって、
前記ペア関係の作成後において、前記ホストコンピュータが、前記第２の論理ボリュームがスプリット状態であると認識すること、を特徴とするストレージ装置。
【請求項５】
請求項１記載のストレージ装置であって、
前記第２の論理ボリュームは仮想的に生成されること、を特徴とするストレージ装置。
【請求項６】
請求項１記載のストレージ装置であって、
前記第２の論理ボリュームのうちの少なくとも１つに関するデータ量は、前記第１の論理ボリュームのうちの少なくとも１つに記憶されたデータ量と異なること、を特徴とするストレージ装置。
【請求項７】
請求項１記載のストレージ装置であって、
前記命令には、前記第１の論理ボリュームと前記第２の論理ボリュームとの両方の情報が含まれていること、を特徴とするストレージ装置。
【請求項８】
請求項１記載のストレージ装置であって、
前記ホストコンピュータ、または前記制御装置に接続される情報処理装置の表示装置は、前記第１の論理ボリュームまたは前記第２の論理ボリュームに関する情報を表示すること、を特徴とするストレージ装置。
【請求項９】
請求項１記載のストレージ装置であって、
前記第１の論理ボリュームのうちの１つは前記第２論理のボリュームのうちの１つに対応し、前記第１の論理ボリュームにうちの別の１つは前記第２の論理ボリュームのうちの別の１つに対応すること、を特徴とするストレージ装置。
【請求項１０】
請求項２記載のストレージ装置であって、
前記制御装置は、
前記リードまたはライトの要求を受信した後、前記第１の論理ボリュームのうちの前記少なくとも１つに記憶されたデータを、１つの第３の論理ボリューム、または前記第１の論理ボリュームのうちの前記少なくとも１つに対応する前記第２の論理ボリュームのいくつか、にコピーし、
当該データのコピー後、前記ホストコンピュータへ前記要求に関わる応答で答えること、を特徴とするストレージ装置。
【請求項１１】
請求項１記載のストレージ装置であって、
前記制御装置は、
前記命令の受け取り後、前記ホストコンピュータのうちの１つから前記第１の論理ボリュームのうちの少なくとも１つへ送られたライト要求を受信し、
前記第１の論理ボリュームのうちの前記少なくとも１つに記憶されている第１のデータが、１つの第３の論理ボリューム、または前記第１の論理ボリュームのうちの前記少なくとも１つに対応する前記第２の論理ボリュームのいくつか、へコピーされていない場合、当該第１のデータを当該論理ボリュームへコピーし、
前記第１のデータのコピー後、前記第１の論理ボリュームのうちの前記少なくとも１つに記憶された前記第１のデータを、前記ライト要求に関する第２のデータによって上書きすること、を特徴とするストレージ装置。
【請求項１２】
請求項１記載のストレージ装置であって、
前記制御装置は、
前記命令の受け取り後、前記ホストコンピュータのうちの１つから前記第２の論理ボリュームのうちの少なくとも１つへ送られたライト要求を受信し、
前記第１の論理ボリュームのうちの少なくとも１つに記憶されている第１のデータが、第３の論理ボリューム、または前記第２の論理ボリュームのうちの少なくとも１つ、へコピーされていない場合、当該第１のデータを当該論理ボリュームへコピーし、
前記第１のデータのコピー後、前記ライト要求に関する第２のデータを前記第２の論理ボリュームのうちの前記少なくとも１つへ書き込むこと、を特徴とするストレージ装置。
【請求項１３】
請求項１記載のストレージ装置であって、
前記制御装置は、
前記ホストコンピュータのうちの１つから前記第２の論理ボリュームのうちの少なくとも１つへ送られたリード要求を受信し、
前記第１の論理ボリュームのうちの少なくとも１つに記憶されている第１のデータが、第３の論理ボリューム、または前記第２の論理ボリュームのいくつか、へコピーされていない場合、当該第１のデータを当該論理ボリュームへコピーし、
前記第１のデータのコピー後、前記第３の論理ボリューム、または前記第２の論理ボリュームのうちの前記少なくとも１つ、からの前記リード要求に関する第１のデータを読み出すこと、を特徴とするストレージ装置。
【請求項１４】
複数のホストコンピュータまたは１つの情報処理装置と接続され、前記ホストコンピュータから送信されたデータを複数の第１の論理領域に転送する制御装置と、前記第１の論理領域に該当する複数のディスクドライブを持つ複数のディスクドライブ装置と、を備えるストレージ装置であって、
前記制御装置は、
前記ホストコンピュータまたは前記情報処理装置から送信された単一の命令を受け取り、前記命令に基づいて、前記第１の論理領域を複数の第２の論理領域に関係付け、前記第２の論理領域を前記第１の論理領域に記憶されたデータのコピーを記憶するために使用し、前記関係付けられた第１の論理領域と第２の論理領域との関係を、前記ホストコンピュータから前記第２の論理領域にアクセスできる状態にし、
前記命令の受け取り後、前記ホストコンピュータのうちの１つから前記第１の論理領域のうちの少なくとも１つまたは前記第２の論理領域のうちの少なくとも１つへ送信されたライト要求を受信し、
前記ホストコンピュータのうちの前記１つへ前記ライト要求に関連したデータとともに応答し、
前記第１の論理領域及び／又は前記第２の論理領域は、前記状態の開始のタイミングで、前記第２の論理領域に記憶されたデータ間の整合性が維持されているコンシステンシーグループに含まれること、を特徴とするストレージ装置。
【請求項１５】
複数のホストコンピュータまたは１つの情報処理装置と接続され、前記ホストコンピュータから送信されたデータを複数の第１の論理ボリュームに転送する制御装置と、前記第１の論理ボリュームに関する複数のディスクドライブを持つ複数のディスクドライブ装置と、を備えるストレージ装置であって、
前記制御装置は、前記ホストコンピュータまたは前記情報処理装置から送信された単一の命令を受け取り、前記命令に基づいて、ある時点において、前記第２の論理ボリュームに記憶されたデータ間の整合性が維持されているコンシステンシーグループを確立させるために前記第１の論理ボリュームを複数の第２の論理ボリュームに関係付け、前記第２の論理ボリュームを前記第１の論理ボリュームに記憶されたデータのコピーを記憶するために使用し、前記第１の論理ボリュームと前記第２の論理ボリュームとの関係を、前記ホストコンピュータから前記第２の論理ボリュームにアクセスできる状態にし、
前記ある時点とは、前記状態の開始の時であり、前記ある時点に対して前記第２の論理ボリュームに記憶されたデータ間の整合性が維持されること、を特徴とするストレージ装置。
【請求項１６】
複数のホストコンピュータまたは１つの情報処理装置と接続され、前記ホストコンピュータから送信されたデータを１つ以上の第１の論理領域に転送する制御装置と、前記第１の論理領域に該当する複数のディスクドライブを持つ複数のディスクドライブ装置と、を備えるストレージ装置であって、
前記制御装置は、前記ホストコンピュータまたは前記情報処理装置から送信された前記第１の論理領域と複数の第２の論理領域との両方の情報を持った命令を受け取り、前記命令に基づいて、前記第１の論理領域と前記第２の論理領域との間にペア関係を作成し、前記第２の論理領域を前記第１の論理領域に記憶されたデータに関係付け、前記命令に係わるある時点において、前記ペア関係を、前記第２の論理領域に記憶されたデータの整合性が維持されるように前記第２の論理領域を利用した状態にし、前記ホストコンピュータから前記第２の論理領域にアクセスできるようにし、
前記ある時点とは、前記状態の開始の時であり、前記第２の論理領域間で整合性が維持されること、を特徴とするストレージ装置。
【請求項１７】
１つ以上のホストコンピュータまたは１つの情報処理装置と接続され、前記ホストコンピュータから送信されたデータを複数の第１の論理ボリュームに転送する制御装置と、前記第１の論理ボリュームに関する複数のディスクドライブを持つ複数のディスクドライブ装置と、を備えるストレージ装置であって、
前記制御装置は、前記ホストコンピュータまたは前記情報処理装置から送信された単一の命令を受け取り、前記命令に従って、ペア関係を作成するために、前記第１の論理ボリュームを複数の第２の論理ボリュームに関係付けて、前記第２の論理ボリュームを前記第１の論理ボリュームに記憶されたデータのコピーに関係付け、ある時点において、ペア関係を前記第２の論理ボリュームに記憶されたデータの整合性が維持されるように前記第２の論理ボリュームを利用した状態にし、前記ホストコンピュータから前記第２の論理ボリュームにアクセスできるようにし、
前記第２の論理ボリュームのうちの少なくとも１つのサイズは、前記第１の論理ボリュームのうちの少なくとも１つのサイズとは異なっており、
前記ある時点とは、前記第２の論理ボリューム間で整合性が維持される前記状態の開始のタイミングであること、を特徴とするストレージ装置。
【請求項１８】
請求項１記載のストレージ装置において、
複数の第３の論理ボリュームと、複数の第４の論理ボリュームと、前記状態に関して前記第４の論理ボリュームに記憶されるデータ間の整合性が維持される別のコンシステンシーグループと、を更に有し、
前記制御装置は、更に、別の命令に基づいて、前記第３の論理ボリュームと前記第４の論理ボリュームとの間に複数のペア関係を作成し、前記第４の論理ボリュームを前記第３の論理ボリュームに記憶されたデータのコピーを記憶するために使用し、前記別の命令に基づいて、前記作成されたペア関係の状態を、前記ホストコンピュータから前記第４の論理ボリュームにアクセスできるスプリット状態にすること、を特徴とするストレージ装置。
【請求項１９】
請求項１記載のストレージ装置において、
前記制御装置がホストコンピュータから１つ以上の第２の論理ボリュームに送信されたライト要求を受信する場合、前記１つ以上の第２の論理ボリュームは、１つ以上の複数の別のディスクドライブに対して割り当てられること、を特徴とするストレージ装置。
【請求項２０】
請求項１４記載のストレージ装置において、
前記状態はスプリット状態であること、を特徴とするストレージ装置。
【請求項２１】
請求項１５記載のストレージ装置において、
前記状態はスプリット状態であること、を特徴とするストレージ装置。
【請求項２２】
請求項１６記載のストレージ装置において、
前記状態はスプリット状態であること、を特徴とするストレージ装置。
【請求項２３】
請求項１７記載のストレージ装置において、
前記状態はスプリット状態であること、を特徴とするストレージ装置。
【請求項２４】
請求項１記載のストレージ装置において、
前記命令を受け取る前において、各々の第１の論理ボリュームは、前記各々の第１の論理ボリュームの各々のペア関係が設定されていない状態にあること、を特徴とするストレージ装置。
【請求項２５】
請求項１記載のストレージ装置において、
前記第２の論理ボリュームは、前記第２の論理ボリュームに記憶されたデータが前記第１の論理ボリュームのバックアップデータである状態として認識され、前記ペア関係の作成後、前記ホストコンピュータによって前記第２の論理ボリュームにアクセスできること、を特徴とするストレージ装置。
【請求項２６】
請求項１記載のストレージ装置において、
前記制御装置は、
前記ホストコンピュータのうちの１つから前記第２の論理ボリュームのうちの少なくとも１つへ送信されたリード要求を受信し、
前記第１の論理ボリュームのうちの少なくとも１つからのデータを、第３の論理ボリューム、または前記第２の論理ボリュームのうちの少なくとも１つ、へコピーした後、前記ホストコンピュータのうちの１つへ、データとともに応答すること、を特徴とするストレージ装置。
【請求項２７】
請求項１記載のストレージ装置において、
前記第１の論理ボリュームのうちの少なくとも１つに関係する少なくとも１つのストレージエリアの容量は、前記第２の論理ボリュームのうちの少なくとも１つに関係する少なくとも１つのストレージエリアの容量と異なること、を特徴とするストレージ装置。